【手続補正書】
【提出日】平成29年7月13日(2017.7.13)
【手続補正１】
【補正対象書類名】明細書
【補正対象項目名】０００５
【補正方法】変更
【補正の内容】
【０００５】
開示された実施態様は、既存のバスドラム内にモジュール式又は一体化されたその他のシステムである手段及び方法を備え、音質の拡張、音の属性の調整、録音や増幅の補助、及びその他の特徴をもたらすためのものである。開示された変調合成共鳴駆動装置（「ＭＣＤＲ」）又は合成共鳴駆動装置（「ＣＲＤ」）は様々な部材で構成され、打面側ドラムヘッド及び／又は共鳴側ドラムヘッドに取り付け可能である。様々な取り付け手段が開示され、開示された実施態様によって既存のドラムシステムとの継ぎ目のない一体化が可能である。
【手続補正２】
【補正対象書類名】明細書
【補正対象項目名】００２４
【補正方法】変更
【補正の内容】
【００２４】
図２に、開示されたＣＲＤであって、ビータープラグ７０１と、内側ダイアフラム壁５１５と、クイックスティックライザ本体部２４０と、クイックスティックライザ本体部２４０と、外側調整可能ダイアフラム壁５３１−Ｂと、ばね状懸架発泡体５２０と、外側ダイアフラムネジフランジ型調整具５８０と、内側ダイアフラム固定フランジ部５９０とを備えるＣＲＤを示す。
【手続補正３】
【補正対象書類名】明細書
【補正対象項目名】００３４
【補正方法】変更
【補正の内容】
【００３４】
図１２Ａから１２Ｃは、様々なストライクアタッチメント及び関連部材を示す図である。このような部材は、膜７２０と、支持フレーム７１０と、ラグ７２５と、膜固定器具７３０と、ビーターディスク７０２と、ビータープラグ７０１とを備える。
【手続補正４】
【補正対象書類名】明細書
【補正対象項目名】００３７
【補正方法】変更
【補正の内容】
【００３７】
図１５は、音響アイリス６００マルチディスクアタッチメント及び様々な関連部材を示す図である。音響アイリスは、開示されたその他のマルチディスクアタッチメントのように使用可能であり、ストレッチ材料と、外側リング／ディスクと、内側調整リング／ディスクとを備える。音響アイリスは、外側リング６１０と、外科用ゴム、ネオプレン、又は類似の材料製のアイリスフィルム６２０と、内側調整リング６３０と、調整リングガイドスパー６３５Ａと、調整リングスパー６３５Ｂと、番号を付したスパーロックとを備える。
【手続補正５】
【補正対象書類名】明細書
【補正対象項目名】００３８
【補正方法】変更
【補正の内容】
【００３８】
図１６は、音響可変弁マルチディスクアタッチメント９００と様々な関連部材を示す図である。これらの部材は、弁位置参照マーク９１０と、回転弁ディスク９００Ｂと、軸上のピボット点ネジ９０１と、軸９２０と、開マーク９１１と、閉マーク９１２と、メインディスク９００Ａと、対応する空気弁９１５とを備える。
【手続補正６】
【補正対象書類名】明細書
【補正対象項目名】００４２
【補正方法】変更
【補正の内容】
【００４２】
図２０は、外側マグナリングマウント１２２０の膜１２２５に取り付けられた上部マグナリングマウント１２１０を備えた磁気結合システムを有する、ＣＲＤシステムを示す図である。外側マグナリングマウント１２２０は、内側マグナリングマウント１２３０に磁気により取り付け可能である。内側マグナリングマウント１２３０は、相補形のＮＳ極方向性を有する磁石１２３２を有し、外側マグナリングマウント１２２０の磁石１２２２に取り付けられる。上部マグナリングマウントの磁石１２１２は、外側マグナリングマウント１２２０の磁石１２２２に反発するような位置に配置される。磁石を反発する位置にすることによって、所望の音響品質を得るのに役立つ。例えば、上部及び外側リング磁石の磁気方位により、膜１２２５を通して振動が伝えられると共に、中央リングの所望の振動が外部リングへと伝えられる。
【手続補正７】
【補正対象書類名】明細書
【補正対象項目名】００５８
【補正方法】変更
【補正の内容】
【００５８】
００  打面側ドラムヘッド又は共鳴側ドラムヘッド内部の開口又は空隙
１００−Ａ  変位拡張装置−斜視図
１００−Ｂ  変位拡張装置−断面図
１００−Ｃ  外科用ゴム製アタッチメントホルダを備えた変位拡張装置
１１０  外側リング
１２０  ネオプレン
１３０  内側支持リング／ディスク
１４０  ゴム製アタッチメントホルダ
１５０−Ｃ  多用途マルチディスクアタッチメント
１０２  打面側ドラムヘッド
１０３  共鳴側ドラムヘッド
１０６  テンプレートリング
１１０  外側リング
１２０  ネオプレン
１３０  内側支持リング又はディスク
１４０  ゴム製アタッチメントホルダ
１５０−Ａ−１  中空ではない（ｓｏｌｉｄ）マルチディスクアタッチメント
１５０−Ｂ−００  ディスク内の空隙
１５０−Ｂ−１  ２インチ空隙マルチディスクアタッチメント
１５０−Ｃ  多用途マルチディスクアタッチメント
１５０−Ｃ−１  開口１５０−Ｃ−００を備える、４インチ空隙マルチディスクアタッチメント
１５０−Ｄ−１  ＥＱマルチディスクアタッチメント
１５０−Ｄ−２  空気空隙
１５０−Ｅ−１  ゴム製リードマルチディスクアタッチメント
１５０−Ｅ−２  ゴム製リード
１５０−Ｅ−００  ゴム製リード内部の空隙又は開口部
１５０−Ｆ−１  ゴム製ダムマルチディスクアタッチメント
１５０−Ｆ−２  ゴム製ダム
１５０−Ｆ−００  空隙又は穴
１５０−Ｇ−１  錘リング
１５０−Ｈ−１  錘ディスク
１６０  接着部
２００−Ａ  クイックスティックライザ
２００−Ｂ  クイックスティックライザの側面図
２４０  クイックスティックライザ本体部
２４７  マイクケーブル用の穴又は空隙
２４８  マイク接続部
２６０  クイックスティックライザに関連する接着部
３００  クイックコネクトシステム
３３０  クイックコネクトディスク
３４０  ゴム製オーバーラップ
３５０ベースリングディスク
３６０  ベースリングに関連する接着部
３７０  ゴムとディスクとの間の結合箇所
４００  音波放射皿状部材
４２０  皿状部材
５００  ＭＣＲＤ  −スピーカーキャビネット上のポート上に搭載し調節可能
５１０  支持フレーム
５１０−Ｄ  長穴付きの端部を有するディスク挿入具を備えた支持フレーム
５１３  外側ダイアフラム壁
５１３−Ｂ  外側調節可能ダイアフラム壁
５１５  内側ダイアフラム壁
５１７−Ａ  中央ダイアフラムＡ
５１７−Ｂ  中央ダイアフラムＢ
５１７−Ｃ  中央ダイアフラムＣ、より小さい穴又は空隙を備えたもの一つ
５１７−Ｄ  中央ダイアフラムＤ、中空なし、空気は端部懸架部を通過
５２０  ばね状懸架発泡体
５２２  分離発泡体
５２４  空気通過懸架部
５８０  外側ダイアフラムネジフランジ型調整具
５８０−Ｂ  固定フランジ
５９０  内側ダイアフラム固定フランジ部
６００  音響アイリス
６１０  外側リング
６２０  アイリス膜、時に外科用ゴム、ネオプレン、同様の弾性特性を有するその他の材料からなる
６３０  内側調整リング
６３５−Ａ  調整リングガイドスパー
６３５−Ｂ  調整リングスパー
６３７  番号付きのスパーロック
７０１  ビータープラグ
７１０  支持フレーム
７２０  膜
７２５  ラグ
７３０  膜固定器具
８００  一般的なスピーカ
８１０  スピーカーキャビネット
８２０  ツィーター
８３０  ウーファー
８４０  ポート
９００  音響可変弁マルチディスクアタッチメント
９００−Ａ  メインディスク
９００−Ｂ  回転弁
９０１  軸上のピボット点ネジ
９１１  １００％開マーク
９１２  １００％閉マーク
９１５  対応する空気弁
９２０  軸
１００１  外側リング
１００２  膜
１００３  外側リングＢ
１００４  ＥＶＡ発泡性リング
１００５  外側リング
１００６  接着性リング
１００７Ａ  ネオプレンガスケット
１００７Ｂ  マグナリング
１００８  中央リングＢ
１００９  中央リングＣ
１０１０  ネオジム磁石
１１００  ギター
１００５  ギターのデッキ又は本体部
１１１０  ギターのブリッジ
１１１５  ギターの弦
１１２０  ギター態様の磁石
１１２５  ギター態様の膜
１１３０  ギター態様の中央リング
１１３５  ギター態様の外側リング
１２００  磁気結合実施態様
１２１０  上部マグナリングマウント
１２１２  上部マグナリングマウント１２１０内に配置される磁石
１２２０  外側マグナリングマウント
１２２２  外側マグナリングマウント１２２０内部に配置される磁石
１２２５  外側マグナリングマウント１２２０の膜
１２３０  内側マグナリングマウント
１２３２  内側マグナリングマウント１２３０内部に配置される磁石
１２５０  ドラムヘッド
１２５１  ドラムヘッドの中心点
１２６０  ドラムシェル
１２７０  ドラムのフープ
１３００  マグナフレックスリング
１３０２  マグナフレックスリング１３００内に配置される磁石
１３０５  マグナフレックスリングのヒンジ
１３０７  ヒンジ及びドラムヘッドの中心点１２５１に合致するヒンジの軸
１４００  可動錘の実施態様
１４０２  ばね１４１５又はその他の部材に取り付けられた磁石
１４０５  可動錘
１４０６  静止錘
１４０７  接着部
１４０８  ばねとマグナポスト１４０９との間のピボット部材
１４０９  磁気ポスト
１４１０  振り子
１４１５  ばね又はその他の弾性部材
１４１７  締めネジ
１４１８  締めナット
１４２０  錘フレーム
１４２３  錘フレーム１４２０の水平足
１４２５  錘フレーム１４２０の垂直足
１４３０  合成共鳴駆動装置即ちＣＲＤの本体部
１４３５  ばね又は弦の結合部１４３０
１５００  中央錘フレームを固定するのに使用するゴム製、弾性、ばね状その他の復元性部材
１５０５  中央錘フレーム
１５０７  フレーム